(57)【特許請求の範囲】
【請求項１】
回転軸及び該回転軸の両端部を除いた部位に複数のインペラブレードが配されていることで構成された回転羽根部を備えて該回転羽根部が筒状横置きのドラム内において回転される羽根車を具備し、分離対象物が破砕されて分離されるように、該分離対象物が、前記ドラムの一方の端面の上側に開口されて設けられた投入口から、回転している状態の前記回転羽根部における前記回転軸の軸延長方向に係る一方の端部上側へ投入されるように設けられ、
前記羽根車の回転羽根部には、前記インペラブレードが４枚設けられ、該４枚のインペラブレードのうちの前記回転軸の軸心を中心にして反対位置に設けられている２枚のインペラブレードが、前記分離対象物の投入される側である一端側が矩形状に形成されている矩形状ブレードであって、前記４枚のインペラブレードのうちの２枚の前記矩形状ブレードを除いて前記回転軸の軸心を中心にして反対位置に設けられている２枚のインペラブレードが、前記分離対象物の投入される側である一端側がテーパ状に切り欠かれた状態に形成されたテーパ状端部を備えるテーパ状ブレードである分離装置において、
前記矩形状ブレードの前記分離対象物が投入される側である一端側の部分が、前記羽根車の回転方向へ折り曲げられた形状の屈折端部になっており、
前記矩形状ブレードの前記一端側の角部である前記屈折端部の角部の部位が、切り欠かれた形状の切り欠き部になっていることを特徴とする分離装置。
【請求項２】
前記テーパ状ブレードの前記テーパ状端部が形成されている部位の前記回転軸の軸延長方向の長さと、前記矩形状ブレードの前記屈折端部が形成されている部位の前記回転軸の軸延長方向の長さとが、実質的に同等に設けられていることを特徴とする請求項１記載の分離装置。
【請求項３】
前記屈折端部の折り曲げ角度が、前記矩形状ブレードの風を切る側の面の内角において１５０度から１７０度の範囲であることを特徴とする請求項１又は２記載の分離装置。
【請求項４】
前記分離対象物を前記投入口へ案内するように該投入口へ連続する投入斜面と、前記テーパ状ブレードのテーパ状端部によって形成される被投入傾斜辺とが、実質的に直角となるように設けられていることを特徴とする請求項１〜３のいずれかに記載の分離装置。
【請求項５】
投入される前記分離対象物を受ける前記インペラブレードの面の部分に、補強用の脱着プレートが着脱可能に装着されていることを特徴とする請求項１〜４のいずれかに記載の分離装置。
【発明の詳細な説明】
【技術分野】
【０００１】
この発明は、回転軸及び該回転軸の両端部を除いた部位に複数のインペラブレードが配されていることで構成された回転羽根部を備えて該回転羽根部が筒状横置きのドラム内において回転される羽根車を具備し、分離対象物が破砕されて分離されるように、該分離対象物が、前記ドラムの一方の端面の上側に開口されて設けられた投入口から、回転している状態の前記回転羽根部における前記回転軸の軸延長方向に係る一方の端部上側へ投入されるように設けられる分離装置に関する。
【背景技術】
【０００２】
従来の分離装置としては、例えば、基本構成として、回動自在に保持される回転軸と、分離対象物を破砕するために回転軸に固定された複数の破砕羽根とを備えている分離装置用羽根車において、回転軸は、破砕羽根の固定部位が角棒状に形成され、破砕羽根は、その一端面が回転軸における固定部位の周面に面的接触の状態で固定されているもの（特許文献１参照）が、本出願人によって提案されている。
【０００３】
そして、従来の分離装置としては、例えば、分離対象物を破砕するための複数の破砕羽根が回転軸に固定されると共に分離装置のドラム内に回転自在に保持される分離装置用羽根車において、一方の側端面が回転軸に対してほぼ直交するように形成された第１の破砕羽根と、第１の破砕羽根の一方の側端面と同じ側の一方の側端面が回転軸の固定部位からその先端部に亘って他方の側端面に向けて傾斜するように形成された第２の破砕羽根とを複数の破砕羽根として備え、回転方向において第１および第２の破砕羽根が互いに隣り合うように回転軸に固定されていることで、分離対象物のスムーズな供給を可能としつつ、羽根車の回転軸へのゴミの絡み付きを防止可能なもの（特許文献２参照）が、本出願人によって提案されている。
【０００４】
さらに、缶詰の処理に適する構造として開発された分離装置であって、回転軸の両端部を除いた部位にインペラブレードが固定されることで構成される回転羽根部を備えてドラム内に水平に配されて回転する羽根車によって、分離対象物が粉砕されて分離されるように、該分離対象物が、前記ドラムの一方の端面の上側部に開口されて設けられた投入口から、回転している状態の前記回転羽根部における前記回転軸の軸延長方向に係る一方の端部上側へ投入される分離装置において、前記羽根車には、前記インペラブレードが４枚設けられ、該４枚のインペラブレードのうちの回転軸の軸心を中心にして反対位置に設けられている２枚のインペラブレードが、矩形ブレード状に形成され、前記回転羽根部の前記一方の端部上側を構成する一方の端部角部を備えるように設けられていると共に、前記４枚のインペラブレードのうちの前記矩形ブレード状に形成された２枚のインペラ―ブレードを除くインペラブレードであって回転軸の軸心を中心にして反対位置に設けられている２枚のインペラブレードが、前記分離対象物の投入される側である一方の端側がテーパ状に切り欠かれた状態に形成されたテーパ状端部を備えるように設けられ、前記インペラブレードのうち前記矩形ブレード状に形成された２枚のインペラブレードが、前記回転軸に固定されたブレード基体部と、該ブレード基体部の前記回転軸の軸心を中心とする拡径方向の先端である縁辺部に固定された縁ブレード部と、該縁ブレード部を固定するための縁ブレード押え部とによって構成され、前記回転羽根部の前記一方の端部上側を構成する前記一方の端部角部に位置する前記縁ブレード押え部の前記回転軸の軸延長方向に係る一方の端縁部に、突起した形状の掻き込み爪が設けられ、該掻き込み爪が、前記縁ブレード押え部の前記一方の端縁部の上側角へ尖ると共に回転方向へ尖ることで三角錐形状に設けられているもの（特許文献３参照）が、本出願人によって提案されている。
【０００５】
なお、この缶詰の処理に用いられる分離装置によれば、缶詰を処理するには極めて有効であるが、他の一般的な分離対象物を処理するには、掻き込み爪が分離対象物に食い込み過ぎて離れにくくなり、必ずしも適していない。
【先行技術文献】
【特許文献】
【０００６】
【特許文献１】特開２０００−１６７４２６号公報（第１頁）
【特許文献２】特開２００１−３２７８８８号公報（第１頁）
【特許文献３】特許第６６５１０９２号公報（請求項１）
【発明の概要】
【発明が解決しようとする課題】
【０００７】
分離装置に関して解決しようとする課題は、分離対象物をドラムの中へよりスムーズ且つ適切に引き込むことで、その分離対象物をより効率的に破砕・分離することが提案されていない点にある。
【０００８】
そこで、本発明の目的は、分離対象物をドラムの中へよりスムーズに引き込むことができ、処理能力をより向上させることができる分離装置を提供することにある。
【課題を解決するための手段】
【０００９】
本発明は、上記目的を達成するために次の構成を備える。
本発明に係る分離装置の一形態によれば、回転軸及び該回転軸の両端部を除いた部位に複数のインペラブレードが配されていることで構成された回転羽根部を備えて該回転羽根部が筒状横置きのドラム内において回転される羽根車を具備し、分離対象物が破砕されて分離されるように、該分離対象物が、前記ドラムの一方の端面の上側に開口されて設けられた投入口から、回転している状態の前記回転羽根部における前記回転軸の軸延長方向に係る一方の端部上側へ投入されるように設けられ、前記羽根車の回転羽根部には、前記インペラブレードが４枚設けられ、該４枚のインペラブレードのうちの前記回転軸の軸心を中心にして反対位置に設けられている２枚のインペラブレードが、前記分離対象物の投入される側である一端側が矩形状に形成されている矩形状ブレードであって、前記４枚のインペラブレードのうちの２枚の前記矩形状ブレードを除いて前記回転軸の軸心を中心にして反対位置に設けられている２枚のインペラブレードが、前記分離対象物の投入される側である一端側がテーパ状に切り欠かれた状態に形成されたテーパ状端部を備えるテーパ状ブレードである分離装置において、前記矩形状ブレードの前記分離対象物が投入される側である一端側の部分が、前記羽根車の回転方向へ折り曲げられた形状の屈折端部になっており、前記矩形状ブレードの前記一端側の角部である前記屈折端部の角部の部位が、切り欠かれた形状の切り欠き部になっていることを特徴とする。
【００１０】
また、本発明に係る分離装置の一形態によれば、前記テーパ状ブレードの前記テーパ状端部が形成されている部位の前記回転軸の軸延長方向の長さと、前記矩形状ブレードの前記屈折端部が形成されている部位の前記回転軸の軸延長方向の長さとが、実質的に同等に設けられていることを特徴とすることができる。
【００１１】
また、本発明に係る分離装置の一形態によれば、前記屈折端部の折り曲げ角度が、前記矩形状ブレードの風を切る側の面の内角において１５０度から１７０度の範囲であることを特徴とすることができる。
【００１３】
また、本発明に係る分離装置の一形態によれば、前記分離対象物を前記投入口へ案内するように該投入口へ連続する投入斜面と、前記テーパ状ブレードのテーパ状端部によって形成される被投入傾斜辺とが、実質的に直角となるように設けられていることを特徴とすることができる。
【００１４】
また、本発明に係る分離装置の一形態によれば、投入される前記分離対象物を受ける前記インペラブレードの面の部分に、補強用の脱着プレートが着脱可能に装着されていることを特徴とすることができる。
【発明の効果】
【００１５】
本発明の分離装置によれば、分離対象物をドラムの中へよりスムーズに引き込むことができ、処理能力をより向上させることができるという特別有利な効果を奏する。
【図面の簡単な説明】
【００１６】
【図１】本発明に係る分離装置の羽根車の形態例の要部を示す側面図である。
【図２】本発明に係る分離装置の形態例を示す断面図である。
【図３】本発明に係る分離装置の羽根車の形態例を示す分解図である。
【発明を実施するための形態】
【００１７】
以下、本発明に係る分離装置の形態例を、添付図面（図１〜３）に基づいて詳細に説明する。
【００１８】
本発明に係る分離装置は、図２及び図３に示すように、基本的に、回転軸１１及びその回転軸１１の両端部を除いた部位に複数のインペラブレード２０（矩形状ブレード２０Ａ、２０Ａ、テーパ状ブレード２０Ｂ、２０Ｂ）が配されていることで構成された回転羽根部１２を備えてその回転羽根部１２が筒状横置きのドラム３０内において回転される羽根車１０を具備し、分離対象物が破砕されて分離されるように、その分離対象物が、ドラム３０の一方の端面の上側に開口されて設けられた投入口４１から、回転している状態の回転羽根部１２における回転軸１１の軸延長方向（長手方向）に係る一方の端部上側１２ａ（投入口４１と隣接・対面している一端側の上側部）へ投入されるように設けられている。なお、本形態例では、羽根車１０の回転軸１１が水平に配されて支持されるように、軸受５０、５０によって回転自在に受けられている。また、各インペラブレード２０は、全体形状としては、回転軸１１の長手方向に長尺の板状に設けられている。
【００１９】
本発明に係る分離装置の羽根車１０の回転羽根部１２には、前記インペラブレードが４枚設けられている。その４枚のインペラブレードのうちの回転軸１１の軸心を中心にして反対位置に設けられている２枚のインペラブレードが、前記分離対象物の投入される側である一端側が矩形状に形成され、回転している状態の回転羽根部１２の一方の端部上側１２ａを構成するように設けられている矩形状ブレード２０Ａになっている。なお、本形態例の２枚の矩形状ブレード２０Ａ、２０Ａは、後述するように回転軸１１に固定されており、その回転軸１１の軸心を中心に点対称に配されている。
【００２０】
また、前記４枚のインペラブレードのうちの２枚の矩形状ブレード２０Ａ、２０Ａを除いて回転軸１１の軸心を中心にして反対位置に設けられている２枚のインペラブレードが、前記分離対象物の投入される側である一端側がテーパ状に切り欠かれた状態に形成されたテーパ状端部２２を備えるテーパ状ブレード２０Ｂになっている。すなわち、このテーパ状ブレード２０Ｂは、前記分離対象物の投入される側である一方の端縁に向かって先細りとなるように、板材の一端側の角部が直角三角形状に切り欠かれて形成される傾斜辺状の後述する被投入傾斜辺２３を形作るテーパ状端部２２を備える形状になっている。なお、本形態例の２枚のテーパ状ブレード２０Ｂ、２０Ｂは、後述するように回転軸１１に固定されており、その回転軸１１の軸心を中心に点対称に配されている。
【００２１】
そして、本発明に係る分離装置では、矩形状ブレード２０Ａの前記分離対象物が投入される側である一端側の部分が、羽根車１０の回転方向へ折り曲げられた形状の屈折端部２１になっている。なお、本形態例の屈折端部２１は、図１及び図３に示すように、基本的に矩形の板材が折り曲げられて形成された部位であって、矩形の短冊状の回転方向へ傾斜した傾斜面を形成するように設けられている。
【００２２】
これによれば、分離対象物をドラム３０の中へよりスムーズ且つ適切に引き込むことができ、その分離対象物をより効率的に破砕・分離することができるため、処理能力をより向上させることができる。すなわち、屈折端部２１が、折り曲げられた形態によって構成される傾斜面を備えることで、投入される分離対象物を、適切に掻き込むことができ、スムーズ且つ適切にドラム３０内へ送ることができる。
【００２３】
また、本形態例においては、図１に示すように、テーパ状ブレード２０Ｂのテーパ状端部２２が形成されている部位の回転軸１１の軸延長方向の長さ（テーパ状端部の長さＬ２）と、矩形状ブレード２０Ａの屈折端部２１が形成されている部位の回転軸１１の軸延長方向の長さ（屈折端部の長さＬ１）とが、実質的に同等に設けられている。
【００２４】
このようにテーパ状端部２２の形態と屈折端部２１の形態に関する長さサイズを揃えることで、分離対象物を引き込むように受け入れる適切な容積スペースと、掻き込み手段とをバランス良く形成することができる。すなわち、両者の長さサイズを揃えることで、分離対象物を掻き入れる際の、過不足のない適正な受け入れスペースと、それに対応する掻き込み手段が設けられたことになり、分離対象物を効率よく送ることができる。
【００２５】
また、本発明に係る分離装置では、図１に示すように、屈折端部２１の折り曲げ角度θ１が、矩形状ブレード２０Ａの風を切る側の面の内角において１５０度から１７０度の範囲であることを特徴としている。なお、本形態例では、その内角が１６０度に設定されている。
【００２６】
これによれば、分離対象物を適切に掻き入れることができ、分離対象物を効率よく送ることができるため、分離処理能力を向上させることができる。つまり、屈折端部２１の折り曲げ角度θ１が、過度により深く曲げられた状態では、屈折端部２１の特に端縁が分離対象物に食い込み過ぎて、その分離対象物を捕捉・保持する力が作用し、分離対象物のスムーズな移動（送り）を阻害することになる。さらに、そのように過度により深く曲げられた状態では、分離対象物を受け入れる容積スペースを遮って狭め、分離対象物のスムーズな移動（送り）を阻害することになる。反対に、屈折端部２１の折り曲げ角度θ１が、より浅く曲げられた状態では、掻き込む作用がほとんど生じないことになり、分離対象物のスムーズな移動（送り）を促進できないことになる。
【００２７】
また、本形態例では、図３に示すように、矩形状ブレード２０Ａの一端側の角部である屈折端部２１の角部の部位が、切り欠かれた形状の切り欠き部２１ａになっている。なお、この切り欠き部２１ａの大きさは、例えば図３に示すように、矩形状ブレード２０Ａの屈折端部２１が形成されている部位の回転軸１１の軸延長方向の長さ（屈折端部の長さＬ１（図１参照））と比較し、半分程度以下の長さサイズとなっている。また、本形態例の切り欠き部２１ａでは、板材の直角の角を二つの辺の長さが等しい直角二等辺三角形状に切り取った切り欠き形状になっている。
【００２８】
この切り欠き部２１ａによれば、屈折端部２１角部の分離対象物への過度な食い込みを防止することができるため、分離対象物をスムーズにドラム３０内に送ることができ、処理能力を向上できる。すなわち、切り欠き部２１ａによって、屈折端部２１角部が分離対象物に食い込み過ぎて、その分離対象物を捕捉・保持する力が作用し、分離対象物のスムーズな移動（送り）を阻害することを防止できる。
【００２９】
また、本形態例では、図２に示すように、分離対象物を投入口４１へ案内するようにその投入口４１へ連続する投入斜面４３と、テーパ状ブレード２０Ｂのテーパ状端部２２によって形成される被投入傾斜辺２３とが、実質的に直角となるように設けられている。なお、４０は分離対象物の供給部である。
【００３０】
これによれば、投入口４１の投入容積スペースと、テーパ状端部２２で受ける側の受け容積スペースとが、ほぼ同等となって、バランスの良い状態とすることができ、分離対象物をドラム３０内にスムーズ且つ適切に受け入れることができ、処理能力を向上できる。なお、その投入斜面４３と被投入傾斜辺２３との角度が９０度よりも大きくなれば、分離対象物を圧縮してドラム３０に供給するする形態になり易く、分離対象物が詰まってスムーズな供給ができなくなる。また、その角度が９０度よりも小さくなれば、分離対象物の供給元の方が狭く絞られた状態になるため、分離対象物を効率良く供給ができなくなる。なお、その角度の９０度の前後１５％程度の範囲では、同等の効果を奏する。
【００３１】
そして、本発明に係る分離装置では、テーパ状ブレード２０Ｂテーパ状端部２２が、図１に示すように、回転軸１１の軸心線と、テーパ状端部２２の斜面である被投入傾斜辺２３との間で測定できる開き角度（テーパ状端部の外角の角度θ２）として１２０度から１３０度の範囲であって、内角（テーパ角の半分の角度）として５０度から６０度の範囲であるように設けられている。このため、投入斜面４３の角度は、回転軸１１の軸心線を基準にして３０度から４０度の範囲の傾斜面になるように設けられている。これによれば、分離対象物を適切に送ることができる。なお、本形態例では、その外角の角度θ２が１２０度に設定されており、回転軸１１が水平になるように設置されているため、投入斜面４３の傾斜角度は３０度になっている。
【００３２】
また、本形態例では、投入される分離対象物を受けるインペラブレード２０（矩形状ブレード２０Ａ、テーパ状ブレード２０Ｂ）の面である投入物受面の部分に、補強用の脱着プレート（７１、７２、７３）が着脱可能に装着されている。図３に示す形態例では、三種類の補強用の脱着プレート（７１、７２、７３）が設けられており、脱着プレートＡ（７１）は、テーパ状ブレード２０Ｂのテーパ状端部２２を含む一端側の投入物受面を補強し、脱着プレートＢ（７２）は、矩形状ブレード２０Ａの屈折端部２１を除く一端側を補強し、脱着プレートＣ（７３）は、矩形状ブレード２０Ａの屈折端部２１の投入物受面を補強している。
【００３３】
この補強用の脱着プレート（７１、７２、７３）によれば、投入される分離対象物を受ける部分であって、その分離対象物に衝突する最も消耗し易い部分である各インペラブレードの一端側の投入物受面を適切に補強することができる。また、この補強用の脱着プレート（７１、７２、７３）によれば、締結手段（本形態例ではボルトナット）によって着脱可能に交換することで容易に保守することができ、メンテナンスコストを低減して経済的に利用できる。
【００３４】
以下、本形態例の分離装置の他の構成などについて説明する。
インペラブレード２０が、回転軸１１に固定されたブレード基体部２０ｘと、そのブレード基体部２０ｘの回転軸１１の軸心を中心とする拡径方向の先端である縁辺部に固定された縁ブレード部２０ｙと、その縁ブレード部２０ｙを固定するための縁ブレード押え部２０ｚとによって構成されている。
【００３５】
また、本形態例では、図２などに示すように、特許文献３に示されている羽根車回転機構の異物絡み防止構造が設けられることによって、軸挿通部材４５ｂ及びカバーリング部材２５（図２参照）が配されるため、側壁部４５の内面４５ａと、羽根車１０の回転羽根部１２との間に、所定の間隔が生じることになり、この間隔によって、分離対象物がドラム４０内へ供給され易い形態になっている。
【００３６】
また、本形態例では、羽根車１０の回転羽根部１２が設けられている部位の回転軸１１が、断面四角の四角軸部であり、その四角軸部と四枚のインペラブレード２０（２０Ａ、２０Ｂ、２０Ａ、２０Ｂ）によって回転羽根部１２が構成されている。そして、本形態例の羽根車１０について、さらに具体的には、角棒状に形成された断面四角の四角軸部の外面を構成する四面（長尺に設けられる四つの平面）のそれぞれに、各板状のインペラブレード２０の基部を構成するブレード基体部２０ｘの根元側部の平面部分（四角軸部の四面の各外面に対応する長尺状の平面部分）が接して重なる形態で、溶接によって固定されて形成されている。
【００３７】
これによれば、分離対象物を破砕して送風の送り効果によって適切に分離させるように機能する羽根車１０を、精度良く且つ高い強度を備えるように、作業性良く効率的に製造することができる。なお、図２及び図３に示すように、１４は補強板であり、インペラブレード２０を補強すると共に送風を生じるように設けられている。また、６０は駆動装置部であって羽根車１０を回転駆動させるように設けられており、図２の形態例では、駆動モータ（図示せず）とＶベルトによる動力伝達装置によって構成されているが、これに限定されることなく、例えば、チェーンとスプロケットによる動力伝達装置を用いることができるのは勿論である。なお、本形態例では、他方の端側に駆動装置部６０を配したが、本発明はこれに限定されるものではなく、反対の一端側に配してもよいのは勿論である。
【００３８】
本発明に係る分離装置によれば、前記分離対象物が、内容物と該内容物を収容する収容手段物（包装手段物）とで構成され、前記包装手段物が例えば樹脂袋や樹脂容器であり、前記内容物が前記樹脂袋や樹脂容器に収容された中身である場合に、効果的に両者を分離できる。
すなわち、本発明にかかる分離装置によれば、パッケージされた食品廃棄物などを、その中身である有機物などと、袋状やケース状の廃プラスチックなどとに、効率よく分離・分別することができる。
【００３９】
なお、この樹脂袋や樹脂容器とは、一般生ゴミや可燃ゴミなどを収容する袋類や、食品のパッケージとして用いられているプラスチック包装材、及び液体を収容するペットボトルを含む樹脂材容器など、樹脂材で形成されるもの全般が含まれる。また、分離対象物の収容手段物は、上記形態例のような樹脂袋や樹脂容器に限定されるものではなく、缶詰の缶などのスチールやアルミニウムなどの金属製のものを含み、分離対象物としては、紙が含まれる物、例えば、紙を含む素材によって包装された物や石膏ボードも含まれる。
【００４０】
図２に示す形態例の分離装置では、破砕された食品廃棄物などから構成される内容物が、ドラム４０の下側に設けられた多孔部から下方へ排出され、樹脂袋などの収容手段物が、ドラム４０の送風方向の下流の上側から側方へ排出されるようになっており、その原理や構成及び作用効果については、従来の分離装置と同等であり、説明を省略する。
【００４１】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００４２】
１０  羽根車
１１  回転軸
１２  回転羽根部
１２ａ  一方の端部上側
１４  補強板
２０  インペラブレード
２０Ａ  矩形状ブレード
２０Ｂ  テーパ状ブレード
２０ｘ  ブレード基体部
２０ｙ  縁ブレード部
２０ｚ  縁ブレード押え部
２１  屈折端部
２１ａ  切り欠き部
２２  テーパ状端部
２３  被投入傾斜辺
２５  カバーリング部材
３０  ドラム
４０  分離対象物の供給部
４１  投入口
４３  投入斜面
４５  側壁部
４５ａ  内面
４５ｂ  軸挿通部材
５０  軸受
６０  駆動装置部
７１  脱着プレートＡ
７２  脱着プレートＢ
７３  脱着プレートＣ
θ１  屈折端部の折り曲げ角度
θ２  テーパ状端部の外角の角度
Ｌ１  屈折端部の長さ
Ｌ２  テーパ状端部の長さ
【要約】
【課題】分離対象物をドラム３０の中へよりスムーズに引き込むことができ、処理能力をより向上させることができる分離装置を提供する。
【解決手段】回転羽根部１２が筒状横置きのドラム３０内において回転される羽根車１０によって、分離対象物が破砕されて分離されるように、該分離対象物が、回転している状態の回転羽根部１２における回転軸１１の軸延長方向に係る一方の端部上側１２ａへ投入されるように設けられ、羽根車１０の回転羽根部１２には、インペラブレードが４枚設けられ、２枚のインペラブレードが矩形状ブレード２０Ａであって、他の２枚のインペラブレードがテーパ状端部２２を備えるテーパ状ブレード２０Ｂであり、矩形状ブレード２０Ａの分離対象物が投入される側である一端側の部分が、羽根車１０の回転方向へ折り曲げられた形状の屈折端部２１になっている。
【選択図】図１【図１】
0006762637.tif 000002
【図２】
0006762637.tif 000003
【図３】
0006762637.tif 000004